(57)【要約】【課題】ＴＶ受像機において、時刻設定チャンネルを再設定する際の操作負担を低減する。【解決手段】ＴＶ受像機は、内部時計と、内部時計を設定するためのオートクロックチャンネルとを有する。ユーザによってチャンネルが指定されると、ＴＶ受像機は、指定されたチャンネルのデジタル放送信号を受信し（Ｓ１）、オートクロックチャンネルが設定されている場合（Ｓ３でＹＥＳ）、受信したデジタル放送信号から時刻情報を抽出する（Ｓ４）。そして、ＴＶ受像機は、抽出した時刻情報と、内部時計による内部時刻情報とが一致するか否かを判断し（Ｓ５）、時間情報が一致しない場合（Ｓ６でＮＯ）、オートクロックチャンネル設定画面をディスプレイに自動的に表示する（Ｓ９）。そして、ユーザがオートクロックチャンネルを再設定した後（Ｓ１０）、ＴＶ受像機は、ＴＶ番組を表示する（Ｓ１１）。【選択図】図４
2012004744.tif 000002
【特許請求の範囲】
【請求項１】
放送局から配信されたデジタル放送信号を受信する受信手段と、
前記受信手段によって受信されたデジタル放送信号のトランスポートストリームから時刻情報を抽出する時刻情報抽出手段と、
前記時刻情報抽出手段によって抽出された時刻情報に基づいて時刻を設定され、設定された時刻に基づく内部時刻情報を提供する内部時計と、
前記内部時計の時刻を設定するために使用するチャンネルを記憶する時刻設定チャンネル記憶手段と、
装置各部を制御する制御手段とを備えるテレビジョン受像機において、
前記時刻情報抽出手段によって抽出された前記時刻情報と、前記内部時計によって提供される前記内部時刻情報とが一致するか否かを判断する時刻判断手段と、
前記時刻設定チャンネル記憶手段に記憶されるチャンネルの設定を行うための時刻設定チャンネル設定画面を表示する時刻設定チャンネル設定画面表示手段とをさらに備え、
前記制御手段は、前記受信手段を用いてユーザによって視聴されるチャンネルのデジタル放送信号を受信し、前記時刻情報抽出手段を用いて、受信したデジタル放送信号のトランスポートストリームから時刻情報を抽出した後、前記時刻判断手段を用いて、抽出した時刻情報と、前記内部時刻情報とが一致するか否かを判断し、これらが一致しない場合、前記時刻設定チャンネル設定画面表示手段を用いて前記時刻設定チャンネル設定画面を自動的に表示することを特徴とするテレビジョン受像機。
【請求項２】
前記制御手段は、前記時刻設定チャンネル記憶手段にチャンネルが記憶されていないとき、前記時刻設定チャンネル設定画面表示手段を用いて前記時刻設定チャンネル設定画面を自動的に表示することを特徴とする請求項１に記載のテレビジョン受像機。
【発明の詳細な説明】
【技術分野】
【０００１】
本発明は、デジタル放送信号内の時刻情報に基づいて内部時計の設定が可能なテレビジョン受像機に関する。
【背景技術】
【０００２】
従来から、内部時計を有するテレビジョン（以下、ＴＶという）受像機が知られている。この種のＴＶ受像機では、放送局から配信されたトランスポートストリーム（以下、ＴＳという）内のシステムタイムテーブル（以下、ＳＴＴという）データを用いて内部時計の時刻を設定する方法が採られている。この方法は、ユーザによって予め設定された時刻設定チャンネル（以下、オートクロックチャンネルという）のＴＳを受信し、このＴＳ内のＳＴＴデータを用いて内部時計を正確な時刻に設定するものである。
【０００３】
ところで、ユーザが、例えば米国内等で引越しによってＴＶ受像機を移動させることにより視聴地域が変わった場合に、上記ＴＶ受像機がオートクロックチャンネルを受信できなくなることがある。その場合、上記ＴＶ受像機では、ユーザが手動でオートクロックチャンネルの再設定を行う必要があるために、ユーザが、オートクロックチャンネル設定画面を表示させた後に、オートクロックチャンネルを再設定しなければならず、ユーザにとって操作の手間が掛かり、使い勝手が悪いという問題がある。また、上記ＴＶ受像機では、オートクロックチャンネルを受信できないことにユーザが気付かない場合があるため、内部時計が不正確な状態のままユーザが使用を続けてしまい、ユーザにとって使い勝手が悪いという問題もある。
【０００４】
これに対して、特許文献１には、電源が遮断されてから投入されるまでの時間が所定以上の場合に、ユーザに時刻の設定を行うように促す設定画面を自動的に表示するＴＶ受像機が開示されている。また、特許文献２には、アナログ放送信号の時刻情報とデジタル放送信号の時刻情報が異なっている場合、テレテキスト信号の時刻情報をデジタル放送信号の時刻情報に差し替えるＴＶ受像機が開示されている。しかしながら、これらのＴＶ受像機は、オートクロックチャンネルを再設定するものではないため、上記問題を解決できない。
【０００５】
また、特許文献３には、時間情報等の付加情報が含まれている放送信号チャンネルを自動的に検出し、検出した放送信号チャンネルから時刻データを抽出してマイコンの内部時計の設定を行うＴＶ受像機が開示されている。しかしながら、このＴＶ受像機は、オートクロックチャンネルの設定を行うものではないため、上記問題を解決できない。
【先行技術文献】
【特許文献】
【０００６】
【特許文献１】特開２００７−４９４００号公報
【特許文献２】特開２００７−１５８７８８号公報
【特許文献３】特開平７−６７０４７号公報
【発明の概要】
【発明が解決しようとする課題】
【０００７】
本発明は、上述した問題点を解決するためになされたものであり、時刻設定チャンネルを再設定する際の操作負担を低減でき、ユーザにとって使い勝手が良いテレビジョン受像機を提供することを目的とする。
【課題を解決するための手段】
【０００８】
上記目的を達成するために請求項１の発明は、放送局から配信されたデジタル放送信号を受信する受信手段と、前記受信手段によって受信されたデジタル放送信号のトランスポートストリームから時刻情報を抽出する時刻情報抽出手段と、前記時刻情報抽出手段によって抽出された時刻情報に基づいて時刻を設定され、設定された時刻に基づく内部時刻情報を提供する内部時計と、前記内部時計の時刻を設定するために使用するチャンネルを記憶する時刻設定チャンネル記憶手段と、装置各部を制御する制御手段とを備えるテレビジョン受像機において、前記時刻情報抽出手段によって抽出された前記時刻情報と、前記内部時計によって提供される前記内部時刻情報とが一致するか否かを判断する時刻判断手段と、前記時刻設定チャンネル記憶手段に記憶されるチャンネルの設定を行うための時刻設定チャンネル設定画面を表示する時刻設定チャンネル設定画面表示手段とをさらに備え、前記制御手段は、前記受信手段を用いてユーザによって視聴されるチャンネルのデジタル放送信号を受信し、前記時刻情報抽出手段を用いて、受信したデジタル放送信号のトランスポートストリームから時刻情報を抽出した後、前記時刻判断手段を用いて、抽出した時刻情報と、前記内部時刻情報とが一致するか否かを判断し、これらが一致しない場合、前記時刻設定チャンネル設定画面表示手段を用いて前記時刻設定チャンネル設定画面を自動的に表示するものである。
【０００９】
また、請求項２の発明は、請求項１に記載のテレビジョン受像機において、前記制御手段は、前記時刻設定チャンネル記憶手段にチャンネルが記憶されていないとき、前記時刻設定チャンネル設定画面表示手段を用いて前記時刻設定チャンネル設定画面を自動的に表示するものである。
【発明の効果】
【００１０】
請求項１の発明によれば、ユーザによって視聴されるチャンネルのデジタル放送信号のトランスポートストリームから時刻情報を抽出した後、抽出した時刻情報と、内部時刻情報とが一致するか否かを判断する。そして、これらが一致しない場合、時刻設定チャンネル設定画面を自動的に表示する。そのため、ユーザは、内部時刻情報が不正確である際に、時刻設定チャンネルを再設定するために、時刻設定チャンネル設定画面を表示させる操作を行う必要がなくなるので、操作の手間を軽減でき、使い勝手が良くなる。
【００１１】
また、抽出した時刻情報と内部時刻情報とが一致しない場合に、自動的に時刻設定チャンネル設定画面を表示するため、ユーザが、内部時刻情報が不正確であると気付きやすく、内部時計が不正確な状態のまま使用することを防ぐことができる。
【００１２】
請求項２の発明によれば、時刻設定チャンネル記憶手段にチャンネルが記憶されていないときに、時刻設定チャンネル設定画面を自動的に表示するので、ユーザに時刻設定チャンネルの設定を促すことができ、ユーザが時刻設定チャンネルが未設定であると気付きやすくなるので、内部時計が不正確なまま使用することを防ぐことができ、ユーザにとって使い勝手が良くなる。
【図面の簡単な説明】
【００１３】
【図１】本発明の一実施形態に係るＴＶ受像機と、このＴＶ受像機を操作するためのリモコンとを示す斜視図。
【図２】上記ＴＶ受像機の内部構成を示すブロック図。
【図３】上記ＴＶ受像機を操作するためのリモコンを示す上面図。
【図４】上記ＴＶ受像機におけるオートクロックチャンネルの設定処理の手順を示すフローチャート。
【図５】上記ＴＶ受像機のディスプレイに表示されるオートクロックチャンネル設定画面の一例を示す説明図。
【図６】上記ＴＶ受像機のディスプレイに表示されるオートクロックチャンネルが未設定である旨のメッセージの一例を示す説明図。
【図７】上記オートクロックチャンネルの設定処理の変形例の手順を示すフローチャート。
【発明を実施するための形態】
【００１４】
以下、本発明の一実施形態に係るテレビジョン受像機について、図１乃至図３を参照して説明する。図１は、テレビジョン（以下、ＴＶという）受像機１と、このＴＶ受像機１を操作するリモコン５との外観を示し、図２は、ＴＶ受像機１の内部構成を示す。図３は、ＴＶ受像機１に対して各種動作指示を行うためのリモコン５の上面を示す。
【００１５】
ＴＶ受像機１は、放送局から放送されるデジタル放送信号を受信するチューナ部（受信手段）１１と、チューナ部１１によって受信されたデジタル放送信号に基づくＴＶ番組の映像を表示するディスプレイ１２と、ＴＶ番組の音声を出力するスピーカ１３と、リモコン５から送信される操作信号を受信するリモコン信号受信部１４とを備える。また、ＴＶ受像機１は、筐体外部に露出するように設けられたＨＤＭＩ端子部１５と、各種情報を記憶したメモリ（時刻設定チャンネル記憶手段）１６と、設定された時刻に基づく内部時刻情報を提供する内部時計１７と、各部を制御するための制御用マイコン（制御手段）１８とをさらに備える。
【００１６】
メモリ１６は、制御用マイコン１８を動作させるためのプログラム１６ａと、内部時計１７の時刻を設定するために使用するオートクロックチャンネル（時刻設定チャンネル）１６ｂとを記憶している。オートクロックチャンネル１６ｂがユーザによって設定されていない場合、オートクロックチャンネル１６ｂに該当する記憶領域には未設定である旨が記憶される。
【００１７】
制御用マイコン１８は、映像出力部１８ａと、音声出力部１８ｂと、時刻情報抽出部（時刻情報抽出手段）１８ｃと、内部時計設定部１８ｄと、時刻判断部（時刻判断手段）１８ｅと、オートクロックチャンネル設定画面表示部（時刻設定チャンネル設定画面表示手段）１８ｆとを有し、ユーザによるリモコン５の操作等に基づいて自装置を動作させる。具体的には例えば、制御用マイコン１８は、ユーザによるリモコン５の操作によって指定されたチャンネルを受信して表示する処理や、オートクロックチャンネルの設定処理等を行う。
【００１８】
映像出力部１８ａは、チューナ部１１によって受信されたＴＶ番組の映像をディスプレイ１２に出力する。音声出力部１８ｂは、チューナ部１１によって受信されたＴＶ番組の音声をスピーカ１３に出力する。
【００１９】
時刻情報抽出部１８ｃは、チューナ部１１によって受信されたデジタル放送信号のトランスポートストリーム（以下、ＴＳという）内のシステムタイムテーブル（以下、ＳＴＴという）データから時刻情報を抽出する。具体的には例えば、ＴＳから１８８バイトごとのシンクバイト（ｓｙｎｃ  ｂｙｔｅ）を探し出し、ＳＴＴのＰＩＤ（ｐａｃｋｅｔ  ＩＤ）が「０ｘ１ＦＦＢ」であるＴＳ  ｐａｃｋｅｔを参照してＧＰＳ時刻情報等の時刻情報を抽出する。時刻情報抽出部１８ｃが時刻情報を抽出するために使用するＴＳは、チューナ部１１によって、ユーザによる指定のチャンネルや、メモリ１６に記憶されたオートクロックチャンネル１６ｂの放送局から受信したものである。
【００２０】
内部時計設定部１８ｄは、時刻情報抽出部１８ｃによって抽出された時刻情報を用いて、内部時計１７の時刻を設定する。内部時計１７の時刻の設定に用いられる時刻情報は、チューナ部１１を用いてオートクロックチャンネル１６ｂとして指定された（記憶された）チャンネルから受信したものである。時刻判断部１８ｅは、時刻情報抽出部１８ｃによって抽出された時刻情報と、内部時計１７によって提供される内部時刻情報とが一致するか否かを判断する。
【００２１】
オートクロックチャンネル設定画面表示部１８ｆは、メモリ１６に記憶されるオートクロックチャンネル１６ｂを設定するためのオートクロックチャンネル設定画面（時刻設定チャンネル設定画面）をディスプレイ１２に表示する。
【００２２】
リモコン５は、図３に示すように、「０」乃至「９」の１０個の数字に対応する「０」〜「９」の数字ボタン５１ａ〜５１ｊと、入力した文字や数字を消去するクリアボタン５２と、上下左右の各方向に操作可能な十字ボタン５３（５３ａ〜５３ｄの総称）とを有する。また、リモコン５は、各種入力を確定するための決定ボタン５４と、設定ボタン５５と、メニューボタン５６と、ＴＶ電源ボタン５７と、ＴＶ受像機１に対してユーザによる操作に応じた操作信号を送信するための信号送信部５０とをさらに有する。
【００２３】
設定ボタン５５は、メモリ１６に記憶された各種の項目の設定内容を、ユーザによって入力された内容に変更するためのものである。メニューボタン５６は、各種動作の選択画面であるメニュー画面をディスプレイ１２に表示させるためのものである。ユーザはメニュー画面上で各種選択を行うことにより、例えば、オートクロックチャンネル設定画面の表示等を指示することができる。ＴＶ電源ボタン５７は、ＴＶ受像機１に対して電源のオン／オフを指示するためのボタンである。ユーザは、数字ボタン５１ａ〜５１ｊを操作することにより、所望のチャンネルの視聴を指示することができる。
【００２４】
次に、上記ＴＶ受像機１におけるオートクロックチャンネルの設定処理について、図４乃至図６を参照して説明する。図４は、オートクロックチャンネルの設定処理の手順を示すフローチャートである。図５は、ディスプレイ１２に表示されるオートクロックチャンネル１６ｂの設定画面の一例を示し、図６は、ディスプレイ１２に表示されるメッセージの一例を示す。
【００２５】
まず、ユーザがリモコン５を操作することによって視聴したいチャンネルが指定されると、制御用マイコン１８は、チューナ部１１を用いて、ユーザによって指定されたチャンネルのデジタル放送信号を受信する（Ｓ１）。そして、制御用マイコン１８は、オートクロックチャンネル１６ｂが設定されているか否かを判断し（Ｓ２）、オートクロックチャンネル１６ｂが設定されている場合（Ｓ３でＹＥＳ）、時刻情報抽出部１８ｃを用いて、受信したデジタル放送信号のＴＳ内のＳＴＴデータから時刻情報を抽出する（Ｓ４）。
【００２６】
そして、制御用マイコン１８は、時刻判断部１８ｅ手段を用いて、上記Ｓ４によって抽出した時刻情報と、内部時計１７によって提供される内部時刻情報とが一致するか否かを判断する（Ｓ５）。
【００２７】
上記Ｓ５の判断の結果、時間情報が一致しない場合（Ｓ６でＮＯ）、制御用マイコン１８は、オートクロックチャンネル設定画面表示部１８ｆを用いて、オートクロックチャンネル設定画面をディスプレイ１２に自動的に表示する（Ｓ９）。具体的には例えば、オートクロックチャンネル設定画面は、図５に示すものであり、ユーザがリモコン５を操作することによってオートクロックチャンネル入力欄Ｃ１にチャンネルを入力し、設定ボタン５５を操作することにより、オートクロックチャンネル１６ｂを再設定する。図５の場合では、「ＡＢＣチャンネル」をオートクロックチャンネル１６ｂとして設定している。
【００２８】
そして、ユーザがリモコン５を操作することによりオートクロックチャンネル１６ｂを再設定した後（Ｓ１０）、制御用マイコン１８は、ディスプレイ１２にＴＶ番組を表示する（Ｓ１１）。一方、時間情報が一致する場合（Ｓ６でＹＥＳ）、制御用マイコン１８は、上記Ｓ９及びＳ１０の処理を行わないで上記Ｓ１１の処理を行う。
【００２９】
上記Ｓ２の判断の結果、オートクロックチャンネル１６ｂが設定されていない場合（Ｓ３でＮＯ）、制御用マイコン１８は、ディスプレイ１２にオートクロックチャンネルの設定を促すメッセージを表示する（Ｓ７）。具体的には例えば、図６に示すように、「オートクロックチャンネルが設定されていません。」の注意メッセージをディスプレイ１２に表示する。
【００３０】
そして、ユーザがリモコン５を操作することによって、メニュー画面等からオートクロックチャンネルの設定画面の表示操作が行われると（Ｓ８でＹＥＳ）、制御用マイコン１８は、上記Ｓ９以降の処理を行う。一方、ユーザによってオートクロックチャンネル設定画面の表示操作が行われない場合（Ｓ８でＮＯ）、上記Ｓ１１の処理を行う。
【００３１】
次に、上記ＴＶ受像機１におけるオートクロックチャンネルの設定処理の変形例について、図７に示すフローチャートを参照して説明する。本処理のＳ１１〜Ｓ１６が、前出の図４に示すＳ１〜Ｓ６に相当し、本処理のＳ１９〜Ｓ２１が前出の図４に示すＳ９〜Ｓ１１に相当する。すなわち、制御用マイコン１８は、本処理においてオートクロックチャンネル１６ｂが設定されていない場合（Ｓ１３でＮＯ）、前出の図４に示すＳ７及びＳ８を行わないで、オートクロックチャンネル設定画面表示部１８ｆを用いてオートクロックチャンネル設定画面をディスプレイ１２に自動的に表示する（Ｓ１９）。これ以外は、前出の図４に示す処理と同様である。
【００３２】
上述したように、本実施形態に係るＴＶ受像機１においては、制御用マイコン１８が、ユーザによって視聴されるチャンネルのデジタル放送信号のＴＳ内のＳＴＴデータから時刻情報を抽出した後、抽出した時刻情報と、内部時計１７によって提供される内部時刻情報とが一致するか否かを判断する。そして、これらが一致しない場合、オートクロックチャンネル設定画面をディスプレイ１２に自動的に表示する。そのため、ユーザは、内部時刻情報が不正確である際に、オートクロックチャンネル１６ｂを再設定するために、オートクロックチャンネル設定画面を表示させる操作を行う必要がなくなるので、手間を軽減でき、使い勝手が良くなる。
【００３３】
また、受信したデジタル放送信号から抽出した時刻情報と、内部時計１７によって提供される内部時刻情報とが一致しない場合に、制御用マイコン１８は、自動的にオートクロックチャンネル設定画面をディスプレイ１２に表示するため、ユーザが、内部時刻情報が不正確であると気付きやすく、内部時計１７が不正確な状態のまま使用することを防ぐことができ、ユーザにとって使い勝手が良くなる。
【００３４】
また、前出の図７に示すオートクロックチャンネルの設定処理においては、オートクロックチャンネル１６ｂが設定されていないときに、オートクロックチャンネル設定画面をディスプレイ１２に自動的に表示するので、ユーザにオートクロックチャンネル１６ｂの再設定を促すことができ、ユーザは時刻設定チャンネルが未設定であると気付きやすくなるので、内部時計１７が不正確な状態のまま使用することを防ぐことができ、ユーザにとって使い勝手が良くなる。
【００３５】
なお、本発明は、上記実施形態の構成に限られず、発明の趣旨を変更しない範囲で種々の変形が可能である。例えば、上記実施形態において、オートクロックチャンネルが設定されていない場合、オートクロックチャンネルの設定を促すメッセージをディスプレイに表示する例を示したが、これに限られず、オートクロックチャンネルの設定を促す音声メッセージをスピーカから出力するものであってもよい。
【符号の説明】
【００３６】
１  ＴＶ受像機
１１  チューナ部（受信手段）
１６  メモリ（時刻設定チャンネル記憶手段）
１７  内部時計
１６ｂ  オートクロックチャンネル（時刻設定チャンネル）
１８  制御用マイコン（制御手段）
１８ｃ  時刻情報抽出部（時刻情報抽出手段）
１８ｅ  時刻判断部（時刻判断手段）
１８ｆ  オートクロックチャンネル設定画面表示部（時刻設定チャンネル設定画面表示手段）
【図１】
2012004744.tif 000003
【図２】
2012004744.tif 000004
【図３】
2012004744.tif 000005
【図４】
2012004744.tif 000006
【図５】
2012004744.tif 000007
【図６】
2012004744.tif 000008
【図７】
2012004744.tif 000009